(57)【特許請求の範囲】
【請求項１】
建物の室外方向に開閉可能な開閉部材を建物の外壁面に沿って複数配置し、前記開閉部材の室内側に、室内方向に開閉されて取り入れた空気を建物内部に導く導風部材をそれぞれ設け、これらの導風部材は前記開閉部材と同じ側を回動支点とするとともに、開口角度がそれぞれ調整可能とされ、前記導風部材と前記開閉部材との回動中心の軸線はそれぞれ上下に延びていることを特徴とする窓を利用した空気取り入れ構造。
【請求項２】
請求項１に記載の窓を利用した空気取り入れ構造において、前記開閉部材は、建物の外壁面から突出する複数の出窓にそれぞれ設けられていることを特徴とする窓を利用した空気取り入れ構造。
【発明の詳細な説明】
【０００１】
【発明の属する技術分野】
本発明は家屋等の建築物の窓を利用した空気取り入れ構造に関する。
【０００２】
【背景技術】
従来より、建物の外壁や屋根には、採光や換気等を行うために、引き違い窓や出窓等の各種開閉窓が設置されている。
一般に広く用いられている引き違い窓では、風が窓に直交する方向から吹いている場合には、その空気を室内に取り入れて換気を十分に行うことができた。
【０００３】
【発明が解決しようとする課題】
しかしながら、都心の建物が密集している場所などでは、敷地が狭く、隣の建物との間の距離が短いので、空気は、各建物間つまり建物の外壁面に沿った方向に流れることが多かった。このため、建物の外壁の引き違い窓からは、空気を十分に取り入れることができないという問題があった。
【０００４】
一方、建物の外壁面から突出する出窓を設け、その側面を開閉可能に構成すれば、建物の外壁面に沿った空気を取り入れることもできるが、出窓側面の開口面積はそれほど大きくできないため、出窓を設けた場合でも十分に空気を取り入れることはできないという問題もあった。
【０００５】
本発明の目的は、室内に空気を十分に取り入れることができる窓を利用した空気取り入れ構造を提供することにある。
【０００６】
【課題を解決するための手段】
本発明は、図面を参照して説明すると、建物８の室外方向に開閉可能な開閉部材５、例えばガラスが組み込まれた障子５や盲パネル６を外壁面７に沿って複数配置し、開閉部材５の室内側に、室内方向に開閉されて取り入れた空気を建物内部に導く導風部材２１をそれぞれ設け、これらの導風部材２１は開閉部材５と同じ側を回動支点とするとともに、開口角度がそれぞれ調整可能とされ、前記導風部材と前記開閉部材との回動中心の軸線はそれぞれ上下に延びていることを特徴とする。本発明では、外壁面７から前記開閉部材５、６を開いた際の開口端縁３０までの長さを風上側から風下側に従って大きくする、つまり風下側の開閉部材５、６の開口端縁３０から外壁面７までの長さＨ２を風上側の開閉部材５、６の開口端縁３０から外壁面７までの長さＨ１よりも大きくする。
【０００７】
ここで、開口端縁３０とは、開閉部材５、６の左右の端縁のうち、外壁面７に連結された支点側とは異なる他方の端縁を指す。
【０００８】
また、外壁面７に沿って設けられる一般的な窓において、各開閉部材５、６の開口端縁３０から外壁面７までの長さを風上側から風下側に向かうに従って大きくするには、各開閉部材５、６の開口角度を徐々に大きくするか、開閉部材５、６の幅寸法を徐々に大きくすればよい。
【０００９】
本発明においては、障子や盲パネル等の前記開閉部材５、６を複数配置し、風が外壁面７に沿って吹いている際に、外壁面７から前記開閉部材５、６を開いた際の開口端縁３０までの長さを風上側から風下側に向かうに従って大きくすることによって、風上側の開閉部材５、６で取り込めなかった空気を風下側の開閉部材５、６で取り込むことができる。
これにより、外壁面７に沿って風が吹いている場合でも、建物８内に空気を十分に取り入れることができ、換気も容易に行うことができる。
【００１１】
さらに、建物の一側面に複数の出窓３が設けられている場合には、各出窓３にそれぞれ開閉部材５、６を設け、風上側から風下側に行くに従って各出窓３の開閉部材５、６の開口端縁３０から外壁面７までの長さを大きくしてもよい。
【００１２】
本発明では、前記開閉部材５、６の室内側に、室内方向に開閉されて取り入れた空気を建物８内部に導く導風部材２１を設けている。このような導風部材２１を設けることで、取り入れた空気が開閉部材５、６を開いた際の開口から逃げ出すことがなく、前記開閉部材５、６によって取り入れた空気を室内側に確実に導き入れることができる。
【００１３】
【発明の実施の形態】
以下に本発明の実施の形態を図面に基づいて説明する。
【００１４】
図１には、本発明の第１の実施の形態を適用した台形出窓１が示され、図２には、図１におけるＡ−Ａ線に沿った断面図が示されている。
この台形出窓１は、隣接する建物５０に面する建物８の外壁面７に設けられており、上壁部１１、下壁部１２、左側壁部１３、右側壁部１４および室外面部１５で形成されている。
【００１５】
図において、前記台形出窓１の左側壁部１３および右側壁部１４には、開閉部材であるガラスが組み込まれた障子５Ａ、５Ｂが設けられ、室外面部１５にも開閉部材である盲パネル６Ａ、６Ｂが設けられている。
【００１６】
このような台形出窓１において、各建物８、５０の間つまり建物８の外壁面７に沿った矢印方向に空気が流れている場合には、左側壁部１３の障子５Ａを開き、さらに、室外面部１５の盲パネル６Ｂを開く。
【００１７】
この際、障子５Ａは外壁面７と平行となるまで開き、盲パネル６Ｂは障子５Ｂと一直線上となるまで開く。すると、風上側の障子５Ａを開いた際の開口端縁３０から外壁面７までの長さＨ１よりも、風下側である盲パネル６Ｂを開いた際の開口端縁３０から外壁面７までの長さＨ２の方が大きくなる。
【００１８】
前記Ｈ１よりもＨ２の長さを大きくすることによって、建物８の近辺に流れてきた空気は障子５Ａで取り込まれ、前記障子５Ａで取り込めなかったより外側の空気は盲パネル６Ｂで取り込まれて建物８内に導入される。
【００１９】
矢印方向と逆方向に空気が流れている場合には、障子５Ｂ、盲パネル６Ａを前記障子５Ａ、盲パネル６Ｂと同様に開閉することによって、空気を取り込む。
【００２０】
このような本実施形態によれば、次のような効果が得られる。
台形出窓１に障子５、盲パネル６を複数設け、風上側の障子５Ａの開口端縁３０から建物８の外壁面７までの長さＨ１よりも、風下側の盲パネル６Ｂの開口端縁３０から建物８の外壁面７までの長さＨ２を大きくすることによって、風上側の障子５Ａで取り込めなかった空気を風下側の盲パネル６Ｂで取り込むことができる。このため、出窓１からの空気の導入量が従来に比べて多くなり、室内の換気も十分に行うことができる。
【００２１】
また、前記障子５、盲パネル６は平面台形状の出窓１の側面１３、１４および室外面１５に取り付けられているので、もともと外壁面７から障子５、盲パネル６までの距離が異なる。
このため、障子５Ａ、５Ｂを外壁面７に平行な位置まで開けば、障子５Ａ、５Ｂが盲パネル６Ａ、６Ｂの開口部分に重なることがなく、盲パネル６Ａ、６Ｂによる開口部分からも空気を有効に室内に取り入れることができる。
【００２２】
また、本実施形態の例と逆の方向の空気が流れてきた場合でも、障子５Ｂ，盲パネル６Ａを開閉することによって、空気を取り込むことができる。
これにより、隣の建物５０との間隔が狭い場合でも、十分に空気を取り込むことができ、換気も容易に行うことができる。
【００２３】
次に本発明の第２の実施の形態を図面に基づいて説明する。
なお、各実施例の同一もしくは相当構成部品には同一符号を付し、説明を省略もしくは簡略する。
【００２４】
図３には、本発明の第２の実施の形態を適用した開き窓２が示され、図４には、図３におけるＢ−Ｂ線に沿った断面図が示されている。
この開き窓２は、建物８の外壁面７に沿って設けられ、室外方向に開かれる開閉部材である障子５が設けられている。また、障子５の室内側には、障子５と同じ側を支点として室内方向に開閉される導風部材２１が設けられている。
前記導風部材２１は、例えば、木材や金属材等で作られて空気の流れを変えるパネルで構成されている。
【００２５】
本実施形態においては、矢印方向に空気が流れている際に、各障子５の開口角度を左側（風上）から右側（風下）に行くに従って徐々に大きくする。すると、外壁面７から障子５の開口端縁３０までの長さ（Ｈ１〜Ｈ３）は風上から風下に向かうに従って徐々に大きくなる。
【００２６】
これにより、各障子５を開いたことによって形成された開口部分から空気が取り入れられる。
そして、障子５によって取り入れられた空気は、導風部材２１によって建物８内部に導かれる。なお、導風部材２１は、開口角度を調整可能とされ、室内にいる人の位置に合わせて開口角度を調整してもよい。
【００２７】
このような本実施形態によれば、次のような効果が得られる。
すなわち、風上側の障子５の開口端縁３０から建物８の外壁面７までの長さＨ１に対して、風下側へ行くに従って障子５の開口端縁３０から建物８の外壁面７までの長さＨ２、Ｈ３を大きくしているので、風上側の障子５で取り込めなかった空気を風下側の他の障子５で取り込むことができ、空気の導入量を増やすことができて、室内を十分に換気することができる。
【００２８】
また、前記障子５の室内側に、室内方向に開閉されて取り入れた空気を建物８内部に導く導風部材２１を設けているので、前記障子５によって取り入れた空気を、他の障子５を開いたことによって形成された開口部分から建物８の外に流出してしまうことを防ぐことができ、空気を建物８内部に確実に導き入れることができる。
【００２９】
なお、本発明は前記実施の形態に限定されるものではなく、本発明の目的を達成できる他の構成等も本発明に含まれる。
【００３０】
例えば、前記第１の実施の形態では、図１に示すように台形出窓１に開閉部材である障子５および盲パネル６を設けたが、図５、６に示すような、建物８の一側面に複数形成された平面三角形状の三角出窓３にそれぞれ開閉部材である障子５を設け、風上側から風下側に行くに従って各出窓３の障子５を開いた際の開口角度つまり開口端縁３０から外壁面７までの長さＨ１、Ｈ２を徐々に大きくしてもよい。
【００３１】
このような場合でも、風上側の障子５を開いた際の開口端縁３０から建物８の外壁面７までの長さＨ１よりも、風下側の障子５を開いた際の開口端縁３０から建物８の外壁面７までの長さＨ２を大きくすることによって、風上側の障子５で取り込めなかった空気を風下側の障子５で取り込むことができる。
【００３２】
これにより、隣の建物５０との間隔が狭い場合でも、複数の三角出窓３にそれぞれ障子５を設けることによって、室内に十分に空気を取り込むことができ、換気も容易に行うことができる。
【００３３】
また、図７、８に示すように、三角出窓３にも導風部材２１を設けてもよい。このように、三角出窓３の各障子５の開口角度を風下側に向かって徐々に大きくすることで、外壁面７から開口端縁３０までの長さを徐々に大きくすることができ、各三角出窓３から空気を取り入れることができるとともに、導風部材２１を設けることによって、取り入れた空気の流出を防ぐことができ、建物８の内部に確実に導き入れることができる。
【００３４】
さらに、図９に示すように、引き違い窓４の開閉部材である雨戸１０を室外方向に開閉可能に構成し、開閉部材として利用してもよい。この際、風上側の雨戸１０の幅寸法よりも風下側の雨戸１０の幅寸法を大きくすれば、各雨戸１０の開口角度が同じあるいは風下側の雨戸１０の開口角度の方を風上側よりも小さくしても、開口端縁３０から、外壁面７までの長さを風上側から風下側に行くに従って大きくすることができ、前記実施の形態と同様の効果を得ることができる。
なお、各雨戸１０の幅寸法が同じ場合には、風上側から風下側に向かうに従って開口角度を大きくすればよい。
【００３５】
また、前記第１の実施例で示した台形出窓１において、隣の建物５０との間が狭いと太陽等の光を得ることは困難である。
そこで、出窓１の上壁部１１を開口可能にし、図１１および図１２に示すような構造で採光を行ってもよい。
【００３６】
図１１は、反射スクリーン等の反射部材２５を利用した採光方法である。
照明等を用いて採光を必要としない場合、反射部材２５により遮光し、採光が必要な場合には、図のように反射部材２５を出窓１側に移動させ、前記出窓１の上壁部１１より入射してきた光を反射部材２５で反射させることで、建物８の内部に光を取り込むことができる。
【００３７】
また、図１２は、反射面２５Ａと遮光面２５Ｂとを有する反射板等の反射部材２５を利用した採光方法である。
【００３８】
採光を必要としない場合は、図のように遮光面によって、太陽等の光を遮り、採光が必要な場合は、反射面で入射してきた光を反射して、建物８の内部に取り込む。この反射部材２５は、棒や取っ手等の移動可能手段を用いて採光を行う。
【００３９】
このように、出窓１の上壁部１１を開口可能にし、前記反射部材２５を用いることによって、換気だけでなく、採光も行うことができる。
【００４０】
また、場所によって建物８に吹く風の向きはある程度決まっているので、開閉部材５、６、１０の開く方向を設定すればよい。
本発明は、台形出窓１、開き窓２、三角出窓３、引き違い窓４に限らず、縦滑り出し窓や上げ下げ窓等、他の種類の窓にも適用できる。
【００４１】
【発明の効果】
以上に述べたように、本発明の窓を利用した空気取り入れ構造によれば、開閉部材を複数配置し、外壁面から開閉部材の開口端縁までの長さを、風上側よりも風下側の方を大きくすることによって、風上側の開閉部材で取り込めなかった空気を風下側の開閉部材で取り込むことができ、建物内に空気を十分に取り入れることができて、換気も容易に行うことができる。
【図面の簡単な説明】
【図１】本発明の第１の実施形態を適用した台形出窓を示す斜視図である。
【図２】図１におけるＡ−Ａ線に沿った断面図である。
【図３】本発明の第２の実施形態を適用した開き窓を示す斜視図である。
【図４】図３におけるＢ−Ｂ線に沿った断面図である。
【図５】本発明の変形例を適用した三角出窓を示す斜視図である。
【図６】図５におけるＣ−Ｃ線に沿った断面図である。
【図７】本発明の他の変形例を適用した三角出窓を示す斜視図である。
【図８】図７におけるＤ−Ｄ線に沿った断面図である。
【図９】本発明のその他の変形例を適用した雨戸付き引き違い窓を示す斜視図である。
【図１０】図９におけるＥ−Ｅ線に沿った断面図である。
【図１１】本発明の変形例における採光可能な出窓を示す断面図である。
【図１２】本発明の変形例における採光可能な出窓を示す断面図である。
【符号の説明】
１  台形出窓
２  開き窓
３  三角出窓
４  引き違い窓
５  開閉部材である障子
６  開閉部材である盲パネル
７  外壁面
８  建物
１０  開閉部材である雨戸
２１  導風部材
３０  開口端縁
【図１】
0004136015.tif 000002
【図２】
0004136015.tif 000003
【図３】
0004136015.tif 000004
【図４】
0004136015.tif 000005
【図５】
0004136015.tif 000006
【図６】
0004136015.tif 000007
【図７】
0004136015.tif 000008
【図８】
0004136015.tif 000009
【図９】
0004136015.tif 000010
【図１０】
0004136015.tif 000011
【図１１】
0004136015.tif 000012
【図１２】
0004136015.tif 000013